【手続補正書】
【提出日】令和1年7月23日(2019.7.23)
【手続補正１】
【補正対象書類名】明細書
【補正対象項目名】０２６１
【補正方法】変更
【補正の内容】
【０２６１】
本発明のいくつかの態様において、モータコントローラが実行するいくつかの機能（すべてではない）は、アセンブリ基部に位置付けられている。モータコントローラが実行する他の機能は、アセンブリ基部が取り付けられる電源コンソールに含まれる。
以上から、以下の特許請求の範囲の目的は、本発明の主旨および範囲内の上記すべての変形および改良を網羅することである。
【手続補正２】
【補正対象書類名】明細書
【補正対象項目名】０２６２
【補正方法】変更
【補正の内容】
【０２６２】
以下に本発明の実施形態を開示する。
[実施形態１]
ボーンストック清浄用アセンブリ（１０２、６０２、１１０２、１２５０）であって、
作動時に、軟部組織をボーンストックから取り除くように構成された少なくとも１つの清浄要素（６９０、７２４、１２３０、１２６４）と、
前記少なくとも１つの清浄要素（６９０、７２４、１２３０、１２６４）に対して移動するように構成され、清浄対象のボーンストックを前記少なくとも１つの清浄要素に対して付勢するように構成された押圧コンポーネント（７７２）と、
複数の押圧フェーズとなるように、前記少なくとも１つの清浄要素（６９０、７２４、１２３０、１２６４）に対して接近および離反する方向に前記押圧コンポーネント（７７２）を移動させるように構成された駆動アセンブリ（１７０、２３４、２７８、４２０）であり、押圧フェーズにおいて前記ボーンストックが前記少なくとも１つの清浄要素に対して付勢されるように、各押圧フェーズにおいて、前記押圧コンポーネントが前記少なくとも１つの清浄要素に隣接して位置決めされ、ボーンストックが前記少なくとも１つの清浄要素に対して付勢された場合に、軟部組織を前記ボーンストックから取り除くように前記清浄要素を作動させるようにさらに構成された駆動アセンブリ（１７０、２３４、２７８、４２０）と、
を備えた、ボーンストック清浄用アセンブリ（１０２、６０２、１１０２、１２５０）において、
除去コンポーネント（７７８、１２５８）が前記少なくとも１つの清浄要素（６９０、７２４、１２３０、１２６４）に隣接して位置付けられ、前記少なくとも１つの清浄要素に対して移動可能であり、前記除去コンポーネントが、前記清浄要素により捕捉されたボーンストックを前記清浄要素から取り除くように構成されており、
前記駆動アセンブリ（１７０、２３４、２７８、４２０）が、押圧フェーズ間において、前記少なくとも１つの清浄要素（６９０、７２４、１２３０、１２６４）に接近する方向に前記除去要素（７７８）を移動させることにより前記アセンブリを除去フェーズに移行させて、前記除去要素に前記少なくとも１つの清浄要素からボーンストックを除去させるようにさらに構成されたことを特徴とする、ボーンストック清浄用アセンブリ（１０２、６０２、１１０２、１２５０）。
[実施形態２]
単一のコンポーネント（７６４）が前記押圧コンポーネント（７７２）および前記除去コンポーネント（７７８、１２５８）として機能するように成形された、実施形態１に記載のボーンストック清浄用アセンブリ（１０２、６０２、１１０２、１２５０）。
[実施形態３]
前記単一のコンポーネント（７６４）が、前記押圧コンポーネントとして機能するように成形された第１の部分（７７２）と、前記少なくとも１つの除去コンポーネント（７７８、１２５８）として機能するように成形された前記第１の部分とは別個の第２の部分（７７８）とを有するように成形された、実施形態２に記載のボーンストック清浄用アセンブリ（１０２、６０２、１１０２、１２５０）。
[実施形態４]
前記駆動アセンブリ（１７０、２３４、２７８、４２０）が、双方向移動経路において前記単一のコンポーネント（７６４）を変位させるように構成された、実施形態２または３に記載のボーンストック清浄用アセンブリ（１０２、６０２、１２５０）。
[実施形態５]
前記押圧コンポーネント（７７２）および前記少なくとも１つの除去要素が、前記少なくとも１つの清浄要素（６９０、７２４、１２３０、１２６４）を少なくとも部分的に囲むケージ（７６４、１２０２、１２５４）の一部であり、
前記駆動アセンブリ（１７０、２３４、２７８、４２０）が、押圧フェーズの場合に、前記押圧コンポーネント（７７２）が前記少なくとも１つの清浄要素に隣接して位置付けられ、除去フェーズの場合に、前記除去コンポーネント（７７８、１２５８）が前記少なくとも１つの清浄要素に隣接して位置付けられるように、前記少なくとも１つの清浄要素に対して、異なる位置間で前記ケージ（７６４、１２０２、１２５４）を移動させるようにさらに構成された、実施形態１から４のいずれか１項に記載のボーンストック清浄用アセンブリ（１０２、６０２、１１０２、１２５０）。
[実施形態６]
前記ケージ（７６４、１２０２、１２５４）が、前記少なくとも１つの清浄要素を完全に囲むようにさらに成形された、実施形態５に記載のボーンストック清浄用アセンブリ（１０２、６０２、１１０２、１２５０）。
[実施形態７]
前記少なくとも１つの清浄要素（６９０、７２４、１２３０、１２６４）が、回転プレート（７１０、１１６０）上に配設され、
前記駆動アセンブリ（１７０、２３４、２７８、４２０）が、前記プレート（７１０、１１６０）を回転させるように構成された、実施形態１から６のいずれか１項に記載のボーンストック清浄用アセンブリ（１０２、６０２、１１０２、１２５０）。
[実施形態８]
前記駆動アセンブリ（１７０、２３４、２７８、４２０）が、
押圧フェーズの場合に前記プレート（７１０、１１６０）を回転させず、
押圧フェーズ間に前記プレートを回転させる、
ように構成された、実施形態７に記載のボーンストック清浄用アセンブリ（１０２、６０２、１１０２、１２５０）。
[実施形態９]
前記駆動アセンブリ（１７０、２３４、２７８、４２０）が、押圧フェーズ間に前記プレート（７１０）を回転させるとともに、前記少なくとも１つの清浄要素に接近する方向に前記除去コンポーネント（７７８、１２５８）を移動させるように構成された、実施形態６または７に記載のボーンストック清浄用アセンブリ（１０２、６０２、１１０２、１２５０）。
[実施形態１０]
前記駆動アセンブリ（１７０、２３４、２７８、４２０）が、押圧フェーズ間に前記プレート（７１０）を回転させ、前記プレートが最初に回転した後、前記少なくとも１つの清浄要素（６９０、７２４、１２６４）に接近する方向に前記除去コンポーネント（７７８、１２５８）を移動させるように構成された、実施形態９に記載のボーンストック清浄用アセンブリ（１０２、６０２、１１０２、１２５０）。
[実施形態１１]
前記駆動アセンブリ（１７０、２３４、２７８、４２０）が、前記少なくとも１つの清浄要素（６９０、７２４、１２３０、１２６４）から離反する方向に前記除去コンポーネント（７７８、１２５８）を移動させ、前記少なくとも１つの清浄要素に接近する方向に前記押圧コンポーネント（７７２）を移動させる際、前記プレート（７１０）を回転させて、前記プレート上のボーンストックを前記押圧コンポーネントに接近する方向に移動させるように構成された、実施形態７から１０のいずれか１項に記載のボーンストック清浄用アセンブリ（１０２、６０２、１１０２、１２５０）。
[実施形態１２]
前記清浄要素が、少なくとも１つの第１の刃先（６９６）を含む第１のカッター（６９０）と、前記第１のカッターの前記第１の刃先に隣接して位置付けられた少なくとも１つの第２の刃先（７２６）を含む第２のカッター（７２４、１２６４）とから成り、
前記駆動アセンブリ（１７０、２３４、２７８、４２０）が、前記少なくとも１つの第１の刃先（６９６）または前記少なくとも１つの第２の刃先（７２６）の一方が前記少なくとも１つの第２の刃先または前記第１の刃先の他方に対して回転するように、押圧フェーズにおいて前記第１のカッター（６９０）または前記第２のカッター（７２４、１２６４）の一方を回転させるように構成された、実施形態１から１１のいずれか１項に記載のボーンストック清浄用アセンブリ（１０２、６０２、１１０２、１２５０）。
[実施形態１３]
前記第１のカッターが、回転ネジ（６９０）であり、
前記第２のカッターが、前記回転ネジを囲む切削管（７２４、１２６４）である、請求項１２に記載のボーンストック清浄用アセンブリ（１０２、６０２、１１０２、１２５０）。
[実施形態１４]
前記切削管（７２４、１２６４）が、回転可能であり、
前記駆動アセンブリが、前記切削管に接続されて前記切削管を回転させる、実施形態１３に記載のボーンストック清浄用アセンブリ（１０２、６０２、１１０２、１２５０）。
[実施形態１５]
前記駆動アセンブリ（１７０、２３４、２７８、４２０）が、除去フェーズにおいて、前記切削管（７２４、１２６４）を回転させるようにさらに構成された、実施形態１４に記載のボーンストック清浄用アセンブリ（１０２、６０２、１１０２、１２５０）。
[実施形態１６]
前記駆動アセンブリ（１７０、２３４、２７８、４２０）が、回転によって周期的に、前記少なくとも１つの清浄要素（６９０、７２４、１２３０、１２６４）に対して接近および離反する方向に前記押圧コンポーネント（７７２）を移動させるとともに、前記少なくとも１つの清浄要素に対して接近および離反する方向に前記除去コンポーネント（７７２、１２５８）を移動させる少なくとも１つのカム（２３４）を備えた、実施形態１から１５のいずれか１項に記載のボーンストック清浄用アセンブリ（１０２、６０２、１１０２、１２５０）。
[実施形態１７]
前記少なくとも１つの清浄要素（１２６４）に取り付けられ、前記押圧コンポーネント（７７２）に隣接する空間からボーンストックを取り除くように位置決めされたワイパ（１２６６）をさらに備えた、実施形態１から１６のいずれか１項に記載のボーンストック清浄用アセンブリ（１０２、６０２、１１０２、１２５０）。
[実施形態１８]
清浄対象のボーンストックが投入される空隙（７６５）を含むシェル（６６０）と、
前記シェルの空隙に配設され、作動時に、軟部組織を前記ボーンストックから取り除くように構成された少なくとも１つの清浄要素（６９０、７２４、１２６４）と、
前記少なくとも１つの清浄要素を作動させる駆動アセンブリ（１４０、１７０）と、
を備えた、骨清浄モジュール（６０２、１２５０）において、
前記シェルが、前記少なくとも１つの清浄要素（６９０、７２４、１２６４）に隣接して開口（６７２）を有するとともに、前記開口を通じて前記空隙と連通した前記空隙とは別個の捕捉空間（６８２）を有するようにさらに形成されており、
移送コンポーネント（６９０、７２４、１２６４）が前記少なくとも１つの清浄要素に隣接して位置付けられ、作動時に、前記少なくとも１つの清浄要素により切断された軟部組織を、前記シェルの開口を通じて前記捕捉空間に移送するように構成されており、
前記駆動アセンブリ（１４０、１７０）が、前記移送コンポーネントに接続されて前記移送コンポーネントを作動させることを特徴とする、骨清浄モジュール（６０２、１２５０）。
[実施形態１９]
前記少なくとも１つの清浄要素（６９０、７２４、１２６４）が、少なくとも１つの移送コンポーネントとしても機能するように、前記シェルの開口を通じて前記切断組織を付勢する形体（６９４）で形成された、請求項１８に記載の骨清浄モジュール（６０２、１２５０）。
[実施形態２０]
前記清浄要素が、管に入れられた回転ネジ（６９０）であり、前記シェルの前記開口を通じて前記切断軟部組織をねじ込む少なくとも１つの溝（６９４）が前記ネジに形成された、実施形態１８または１９に記載の骨清浄モジュール（６０２、１２５０）。
[実施形態２１]
前記開口に隣接して前記シェルに取り付けられた少なくとも１つのフィン（１２７４）であり、前記開口を通じて移送された切断組織を前記開口から離れて外方に向かわせるように位置決めおよび成形された、少なくとも１つのフィン（１２７４）をさらに備えた、実施形態１８から２０のいずれか１項に記載の骨清浄モジュール（６０２、１２５０）。
[実施形態２２]
ボーンストックが投入される入口開口（９４８）および骨片が排出される出口開口（９１８）を備えたシェル（９０４、９４０）と、
前記シェルにおいて、前記入口開口と前記出口開口との間で移動可能に配設され、作動時に、前記入口開口を通じて導入されたボーンストックを、前記出口開口を通じて排出される骨片に変換するように構成された粉砕コンポーネント（９５８）と、
前記出口開口に隣接して前記シェル（９０４、９４０）に取り外し可能に取り付けられ、前記骨片を受容する捕捉トレイ（９８０）と、
前記シェルが取り外し可能に取り付けられ、前記粉砕コンポーネントを作動させるように構成された駆動アセンブリ（１４０）を含む基部（１０２）と、
を備えた、骨粉砕用アセンブリ（１０２、９０２）において、
センサ（５８７）が前記基部に取り付けられ、前記捕捉トレイの有無に関して前記シェルを監視するとともに、前記捕捉トレイの有無の関数として変化するセンサ信号を生成するように構成されており、
前記駆動アセンブリ（１４０）の作動を調節するように構成されたコントローラ（５９６）が前記センサ信号を受信するとともに、前記捕捉トレイがないことを前記センサ信号が示す場合に、前記粉砕コンポーネントの作動を抑止するように構成されたことを特徴とする、骨粉砕用アセンブリ（１０２、９０２）。
[実施形態２３]
前記センサ（５８７）が、磁界の有無を監視するように構成された、実施形態２２に記載の骨粉砕用アセンブリ。
【手続補正３】
【補正対象書類名】特許請求の範囲
【補正対象項目名】全文
【補正方法】変更
【補正の内容】
【特許請求の範囲】
【請求項１】
ボーンストック清浄用アセンブリであって、
作動時に、軟部組織をボーンストックから取り除くように構成された少なくとも１つの清浄要素と、
前記少なくとも１つの清浄要素に対して移動するように構成され、清浄対象のボーンストックを前記少なくとも１つの清浄要素に対して付勢するように構成された押圧コンポーネントと、
複数の押圧フェーズとなるように、前記少なくとも１つの清浄要素に対して接近および離反する方向に前記押圧コンポーネントを移動させるように構成された駆動アセンブリであり、押圧フェーズにおいて前記ボーンストックが前記少なくとも１つの清浄要素に対して付勢されるように、各押圧フェーズにおいて、前記押圧コンポーネントが前記少なくとも１つの清浄要素に隣接して位置決めされ、ボーンストックが前記少なくとも１つの清浄要素に対して付勢された場合に、軟部組織を前記ボーンストックから取り除くように前記清浄要素を作動させるようにさらに構成された駆動アセンブリと、
を備えた、ボーンストック清浄用アセンブリにおいて、
除去コンポーネントが前記少なくとも１つの清浄要素に隣接して位置付けられ、前記少なくとも１つの清浄要素に対して移動可能であり、前記除去コンポーネントが、前記清浄要素により捕捉されたボーンストックを前記清浄要素から取り除くように構成されており、
前記駆動アセンブリが、押圧フェーズ間において、前記少なくとも１つの清浄要素に接近する方向に前記除去要素を移動させることにより前記アセンブリを除去フェーズに移行させて、前記除去要素に前記少なくとも１つの清浄要素からボーンストックを除去させるようにさらに構成されたことを特徴とする、ボーンストック清浄用アセンブリ。
【請求項２】
単一のコンポーネントが前記押圧コンポーネントおよび前記除去コンポーネントとして機能するように成形された、請求項１に記載のボーンストック清浄用アセンブリ。
【請求項３】
前記単一のコンポーネントが、前記押圧コンポーネントとして機能するように成形された第１の部分と、前記少なくとも１つの除去コンポーネントとして機能するように成形された前記第１の部分とは別個の第２の部分とを有するように成形された、請求項２に記載のボーンストック清浄用アセンブリ。
【請求項４】
前記駆動アセンブリが、双方向移動経路において前記単一のコンポーネントを変位させるように構成された、請求項２または３に記載のボーンストック清浄用アセンブリ。
【請求項５】
前記押圧コンポーネントおよび前記少なくとも１つの除去要素が、前記少なくとも１つの清浄要素を少なくとも部分的に囲むケージの一部であり、
前記駆動アセンブリが、押圧フェーズの場合に、前記押圧コンポーネントが前記少なくとも１つの清浄要素に隣接して位置付けられ、除去フェーズの場合に、前記除去コンポーネントが前記少なくとも１つの清浄要素に隣接して位置付けられるように、前記少なくとも１つの清浄要素に対して、異なる位置間で前記ケージを移動させるようにさらに構成された、請求項１から４のいずれか１項に記載のボーンストック清浄用アセンブリ。
【請求項６】
前記ケージが、前記少なくとも１つの清浄要素を完全に囲むようにさらに成形された、請求項５に記載のボーンストック清浄用アセンブリ。
【請求項７】
前記少なくとも１つの清浄要素が、回転プレート上に配設され、
前記駆動アセンブリが、前記プレートを回転させるように構成された、請求項１から６のいずれか１項に記載のボーンストック清浄用アセンブリ。
【請求項８】
前記駆動アセンブリが、
押圧フェーズの場合に前記プレートを回転させず、
押圧フェーズ間に前記プレートを回転させる、
ように構成された、請求項７に記載のボーンストック清浄用アセンブリ。
【請求項９】
前記駆動アセンブリが、押圧フェーズ間に前記プレートを回転させるとともに、前記少なくとも１つの清浄要素に接近する方向に前記除去コンポーネントを移動させるように構成された、請求項６または７に記載のボーンストック清浄用アセンブリ。
【請求項１０】
前記駆動アセンブリが、前記少なくとも１つの清浄要素から離反する方向に前記除去コンポーネントを移動させ、前記少なくとも１つの清浄要素に接近する方向に前記押圧コンポーネントを移動させる際、前記プレートを回転させて、前記プレート上のボーンストックを前記押圧コンポーネントに接近する方向に移動させるように構成された、請求項７から９のいずれか１項に記載のボーンストック清浄用アセンブリ。
【請求項１１】
前記清浄要素が、少なくとも１つの第１の刃先を含む第１のカッターと、前記第１のカッターの前記第１の刃先に隣接して位置付けられた少なくとも１つの第２の刃先を含む第２のカッターとから成り、
前記駆動アセンブリが、前記少なくとも１つの第１の刃先または前記少なくとも１つの第２の刃先の一方が前記少なくとも１つの第２の刃先または前記第１の刃先の他方に対して回転するように、押圧フェーズにおいて前記第１のカッターまたは前記第２のカッターの一方を回転させるように構成された、請求項１から１０のいずれか１項に記載のボーンストック清浄用アセンブリ。
【請求項１２】
前記第１のカッターが、回転ネジであり、
前記第２のカッターが、前記回転ネジを囲む切削管で、該切削管は回転可能であり、前記駆動アセンブリは、前記切削管を回転させるために前記切削管に接続されている、請求項１１に記載のボーンストック清浄用アセンブリ。
【請求項１３】
前記駆動アセンブリが、回転によって周期的に、前記少なくとも１つの清浄要素に対して接近および離反する方向に前記押圧コンポーネントを移動させるとともに、前記少なくとも１つの清浄要素に対して接近および離反する方向に前記除去コンポーネントを移動させる少なくとも１つのカムを備えた、請求項１から１２のいずれか１項に記載のボーンストック清浄用アセンブリ。
【請求項１４】
前記少なくとも１つの清浄要素に取り付けられ、前記押圧コンポーネントに隣接する空間からボーンストックを取り除くように位置決めされたワイパをさらに備えた、請求項１から１３のいずれか１項に記載のボーンストック清浄用アセンブリ。
【請求項１５】
清浄対象のボーンストックが投入される空隙を含むシェルと、
前記シェルの空隙に配設され、作動時に、軟部組織を前記ボーンストックから取り除くように構成された少なくとも１つの清浄要素と、
前記少なくとも１つの清浄要素を作動させる駆動アセンブリと、
を備え、
前記シェルが、前記少なくとも１つの清浄要素に隣接して開口を有するとともに、前記開口を通じて前記空隙と連通した前記空隙とは別個の捕捉空間を有するようにさらに形成されており、
移送コンポーネントが前記少なくとも１つの清浄要素に隣接して位置付けられ、作動時に、前記少なくとも１つの清浄要素により切断された軟部組織を、前記シェルの開口を通じて前記捕捉空間に移送するように構成されており、
前記駆動アセンブリが、前記移送コンポーネントに接続されて前記移送コンポーネントを作動させることを特徴とする、骨清浄モジュール。
【請求項１６】
前記少なくとも１つの清浄要素が、少なくとも１つの移送コンポーネントとしても機能するように、前記シェルの開口を通じて前記切断組織を付勢する形体で形成された、請求項１５に記載の骨清浄モジュール。
【請求項１７】
前記開口に隣接して前記シェルに取り付けられた少なくとも１つのフィンであり、前記開口を通じて移送された切断組織を前記開口から離れて外方に向かわせるように位置決めおよび成形された、少なくとも１つのフィンをさらに備えた、請求項１５または１６に記載の骨清浄モジュール。
【請求項１８】
ボーンストックが投入される入口開口および骨片が排出される出口開口を備えたシェルと、
前記シェルにおいて、前記入口開口と前記出口開口との間で移動可能に配設され、作動時に、前記入口開口を通じて導入されたボーンストックを、前記出口開口を通じて排出される骨片に変換するように構成された粉砕コンポーネントと、
前記出口開口に隣接して前記シェルに取り外し可能に取り付けられ、前記骨片を受容する捕捉トレイと、
前記シェルが取り外し可能に取り付けられ、前記粉砕コンポーネントを作動させるように構成された駆動アセンブリを含む基部と、
を備えた、骨粉砕用アセンブリにおいて、
センサが前記基部に取り付けられ、前記捕捉トレイの有無に関して前記シェルを監視するとともに、前記捕捉トレイの有無の関数として変化するセンサ信号を生成するように構成されており、
前記駆動アセンブリの作動を調節するように構成されたコントローラが前記センサ信号を受信するとともに、前記捕捉トレイがないことを前記センサ信号が示す場合に、前記粉砕コンポーネントの作動を抑止するように構成されたことを特徴とする、骨粉砕用アセンブリ。
【請求項１９】
前記センサが、磁界の有無を監視するように構成された、請求項１８に記載の骨粉砕用アセンブリ。